(57)【要約】【課題】本発明は、コンテンツ提供装置、コンテンツ提供方法、コンテンツ提供方法のプログラム及びコンテンツ提供方法のプログラムを記録した記録媒体に関し、例えばハードディスク装置を用いてテレビジョン放送を記録再生するハードディスクレコーダに適用して、映像コンテンツにおける盛り上がった場面を見逃すことが無いようにする。【解決手段】本発明は、盛り上がりの場面までのカウントダウンを提供する。【選択図】        図１
2007116566.tif 000002
【特許請求の範囲】
【請求項１】
映像コンテンツを取得する映像コンテンツ取得部と、
前記映像コンテンツ取得部で取得した前記映像コンテンツを記録する映像コンテンツの記録部と、
前記映像コンテンツ取得部で取得した前記映像コンテンツより盛り上がりの場面を検出する盛り上がり検出部と、
前記盛り上がり検出部の検出結果を記録する盛り上がり情報の記録部と、
前記映像コンテンツの記録部に記録された前記映像コンテンツを再生する映像コンテンツの再生部と、
前記盛り上がり情報の記録部に記録された前記盛り上がり検出部の検出結果に基づいて、前記映像コンテンツの再生部で再生される前記映像コンテンツの盛り上がりの場面から逆上った個所より、前記盛り上がりの場面までカウントダウンするように、該映像コンテンツに変化を与えて出力する映像コンテンツの処理部と
を備えることを特徴とするコンテンツ提供装置。
【請求項２】
前記映像コンテンツの処理部は、
前記盛り上がり情報の記録部に記録された前記盛り上がり検出部の検出結果に基づいて、前記映像コンテンツの再生部で再生される前記映像コンテンツの盛り上がりの場面から逆上った個所より、前記盛り上がりの場面までのカウントダウンの映像及び又は音声を生成するカウントダウン処理部と、
前記カウントダウン処理部により生成される前記映像及び又は音声を、前記映像コンテンツの再生部で再生される前記映像コンテンツに重畳して出力するミキシング部とを有する
ことを特徴とする請求項１に記載のコンテンツ提供装置。
【請求項３】
前記カウントダウンの映像が、
前記盛り上がりの場面までの所要時間の映像である
ことを特徴とする請求項２に記載のコンテンツ提供装置。
【請求項４】
前記カウントダウンの映像が、
前記盛り上がりの場面までの間の前記音声の文字表示の映像である
ことを特徴とする請求項２に記載のコンテンツ提供装置。
【請求項５】
前記カウントダウンの音声が、
前記盛り上がりの場面までの所要時間を通知する音声である
ことを特徴とする請求項２に記載のコンテンツ提供装置。
【請求項６】
前記映像コンテンツの処理部による前記映像コンテンツの処理が、
前記逆上った個所より前記盛り上がりの場面までの間で、前記映像コンテンツの映像の表示を徐々に拡大させる処理である
ことを特徴とする請求項１に記載のコンテンツ提供装置。
【請求項７】
前記盛り上がり検出部は、
前記映像コンテンツの記録部により前記映像コンテンツを記録する際に、前記盛り上がりの場面を検出する
ことを特徴とする請求項１に記載のコンテンツ提供装置。
【請求項８】
映像コンテンツを取得する映像コンテンツ取得のステップと、
前記映像コンテンツ取得のステップで取得した前記映像コンテンツを記録する映像コンテンツの記録のステップと、
前記映像コンテンツ取得のステップで取得した前記映像コンテンツより盛り上がりの場面を検出する盛り上がり検出のステップと、
前記盛り上がり検出のステップによる検出結果を記録する盛り上がり情報の記録のステップと、
前記映像コンテンツの記録のステップで記録された前記映像コンテンツを再生する映像コンテンツの再生のステップと、
前記盛り上がり情報の記録のステップで記録された前記盛り上がり検出のステップの検出結果に基づいて、前記映像コンテンツの再生のステップで再生される前記映像コンテンツの盛り上がりの場面から逆上った個所より、前記盛り上がりの場面までカウントダウンするように、該映像コンテンツに変化を与えて出力する映像コンテンツの処理のステップとを有する
ことを特徴とするコンテンツ提供方法。
【請求項９】
演算処理手段による実行により映像コンテンツを提供するコンテンツ提供方法のプログラムにおいて、
映像コンテンツを取得する映像コンテンツ取得のステップと、
前記映像コンテンツ取得のステップで取得した前記映像コンテンツを記録する映像コンテンツの記録のステップと、
前記映像コンテンツ取得のステップで取得した前記映像コンテンツより盛り上がりの場面を検出する盛り上がり検出のステップと、
前記盛り上がり検出のステップによる検出結果を記録する盛り上がり情報の記録のステップと、
前記映像コンテンツの記録のステップで記録された前記映像コンテンツを再生する映像コンテンツの再生のステップと、
前記盛り上がり情報の記録のステップで記録された前記盛り上がり検出のステップの検出結果に基づいて、前記映像コンテンツの再生のステップで再生される前記映像コンテンツの盛り上がりの場面から逆上った個所より、前記盛り上がりの場面までカウントダウンするように、該映像コンテンツに変化を与えて出力する映像コンテンツの処理のステップとを有する
ことを特徴とするコンテンツ提供方法のプログラム。
【請求項１０】
演算処理手段による実行により映像コンテンツを提供するコンテンツ提供方法のプログラムを記録した記録媒体において、
映像コンテンツを取得する映像コンテンツ取得のステップと、
前記映像コンテンツ取得のステップで取得した前記映像コンテンツを記録する映像コンテンツの記録のステップと、
前記映像コンテンツ取得のステップで取得した前記映像コンテンツより盛り上がりの場面を検出する盛り上がり検出のステップと、
前記盛り上がり検出のステップによる検出結果を記録する盛り上がり情報の記録のステップと、
前記映像コンテンツの記録のステップで記録された前記映像コンテンツを再生する映像コンテンツの再生のステップと、
前記盛り上がり情報の記録のステップで記録された前記盛り上がり検出のステップの検出結果に基づいて、前記映像コンテンツの再生のステップで再生される前記映像コンテンツの盛り上がりの場面から逆上った個所より、前記盛り上がりの場面までカウントダウンするように、該映像コンテンツに変化を与えて出力する映像コンテンツの処理のステップとを有する
ことを特徴とするコンテンツ提供方法のプログラムを記録した記録媒体。
【発明の詳細な説明】
【技術分野】
【０００１】
本発明は、コンテンツ提供装置、コンテンツ提供方法、コンテンツ提供方法のプログラム及びコンテンツ提供方法のプログラムを記録した記録媒体に関し、例えばハードディスク装置を用いてテレビジョン放送を記録再生するハードディスクレコーダに適用することができる。本発明は、盛り上がりの場面までのカウントダウンを提供することにより、映像コンテンツにおける盛り上がった場面を見逃すことが無いようにする。
【背景技術】
【０００２】
従来、ハードディスクレコーダ等の記録再生装置では、ユーザーへの映像コンテンツの提供に種々の工夫が図られており、その工夫の１つとして自動的にチャプターを設定してテレビジョン放送による映像コンテンツを録画し、再生時、この録画時に設定したチャプターより頭出し等の操作を受け付けていた。
【０００３】
このチャプターの自動的な設定に関して、従来、音声により映像コンテンツの盛り上がりを検出し、例えばサッカー中継におけるゴールシーン等の、映像コンテンツの盛り上がった場面にチャプターを設定する方法が実用に供されている。この方法によれば、チャプターにより頭出しして映像コンテンツを再生することにより、盛り上がった場面を間違いなく視聴することができる。
【０００４】
これに対して特開２００２−３００５１８号公報には、番組の盛り上がりを検出してダイジェスト番組を自動的に作成する方法が提案されている。
【０００５】
ところで録画した番組等による映像コンテンツを視聴している場合に、一時的に席を外して映像コンテンツが盛り上がった場面を見逃してしまう場合がある。
【０００６】
これにより映像コンテンツの盛り上がった場面を見逃すことが無いようにすることができれば、映像コンテンツに係る機器の使い勝手を一段と向上することができる。
【特許文献１】特開２００２−３００５１８号公報
【発明の開示】
【発明が解決しようとする課題】
【０００７】
本発明は以上の点を考慮してなされたもので、映像コンテンツにおける盛り上がった場面を見逃すことが無いようにすることができるコンテンツ提供装置、コンテンツ提供方法、コンテンツ提供方法のプログラム及びコンテンツ提供方法のプログラムを記録した記録媒体を提案しようとするものである。
【課題を解決するための手段】
【０００８】
かかる課題を解決するため請求項１の発明は、コンテンツ提供装置に適用して、映像コンテンツを取得する映像コンテンツ取得部と、前記映像コンテンツ取得部で取得した前記映像コンテンツを記録する映像コンテンツの記録部と、前記映像コンテンツ取得部で取得した前記映像コンテンツより盛り上がりの場面を検出する盛り上がり検出部と、前記盛り上がり検出部の検出結果を記録する盛り上がり情報の記録部と、前記映像コンテンツの記録部に記録された前記映像コンテンツを再生する映像コンテンツの再生部と、前記盛り上がり情報の記録部に記録された前記盛り上がり検出部の検出結果に基づいて、前記映像コンテンツの再生部で再生される前記映像コンテンツの盛り上がりの場面から逆上った個所より、前記盛り上がりの場面までカウントダウンするように、該映像コンテンツに変化を与えて出力する映像コンテンツの処理部とを備えるようにする。
【０００９】
また請求項８の発明は、コンテンツ提供方法に適用して、映像コンテンツを取得する映像コンテンツ取得のステップと、前記映像コンテンツ取得のステップで取得した前記映像コンテンツを記録する映像コンテンツの記録のステップと、前記映像コンテンツ取得のステップで取得した前記映像コンテンツより盛り上がりの場面を検出する盛り上がり検出のステップと、前記盛り上がり検出のステップによる検出結果を記録する盛り上がり情報の記録のステップと、前記映像コンテンツの記録のステップで記録された前記映像コンテンツを再生する映像コンテンツの再生のステップと、前記盛り上がり情報の記録のステップで記録された前記盛り上がり検出のステップの検出結果に基づいて、前記映像コンテンツの再生のステップで再生される前記映像コンテンツの盛り上がりの場面から逆上った個所より、前記盛り上がりの場面までカウントダウンするように、該映像コンテンツに変化を与えて出力する映像コンテンツの処理のステップとを有するようにする。
【００１０】
また請求項９の発明は、演算処理手段による実行により映像コンテンツを提供するコンテンツ提供方法のプログラムに適用して、映像コンテンツを取得する映像コンテンツ取得のステップと、前記映像コンテンツ取得のステップで取得した前記映像コンテンツを記録する映像コンテンツの記録のステップと、前記映像コンテンツ取得のステップで取得した前記映像コンテンツより盛り上がりの場面を検出する盛り上がり検出のステップと、前記盛り上がり検出のステップによる検出結果を記録する盛り上がり情報の記録のステップと、前記映像コンテンツの記録のステップで記録された前記映像コンテンツを再生する映像コンテンツの再生のステップと、前記盛り上がり情報の記録のステップで記録された前記盛り上がり検出のステップの検出結果に基づいて、前記映像コンテンツの再生のステップで再生される前記映像コンテンツの盛り上がりの場面から逆上った個所より、前記盛り上がりの場面までカウントダウンするように、該映像コンテンツに変化を与えて出力する映像コンテンツの処理のステップとを有するようにする。
【００１１】
また請求項１０の発明は、演算処理手段による実行により映像コンテンツを提供するコンテンツ提供方法のプログラムを記録した記録媒体に適用して、映像コンテンツを取得する映像コンテンツ取得のステップと、前記映像コンテンツ取得のステップで取得した前記映像コンテンツを記録する映像コンテンツの記録のステップと、前記映像コンテンツ取得のステップで取得した前記映像コンテンツより盛り上がりの場面を検出する盛り上がり検出のステップと、前記盛り上がり検出のステップによる検出結果を記録する盛り上がり情報の記録のステップと、前記映像コンテンツの記録のステップで記録された前記映像コンテンツを再生する映像コンテンツの再生のステップと、前記盛り上がり情報の記録のステップで記録された前記盛り上がり検出のステップの検出結果に基づいて、前記映像コンテンツの再生のステップで再生される前記映像コンテンツの盛り上がりの場面から逆上った個所より、前記盛り上がりの場面までカウントダウンするように、該映像コンテンツに変化を与えて出力する映像コンテンツの処理のステップとを有するようにする。
【００１２】
請求項１の構成により、コンテンツ提供装置に適用して、映像コンテンツを取得する映像コンテンツ取得部と、前記映像コンテンツ取得部で取得した前記映像コンテンツを記録する映像コンテンツの記録部と、前記映像コンテンツ取得部で取得した前記映像コンテンツより盛り上がりの場面を検出する盛り上がり検出部と、前記盛り上がり検出部の検出結果を記録する盛り上がり情報の記録部と、前記映像コンテンツの記録部に記録された前記映像コンテンツを再生する映像コンテンツの再生部と、前記盛り上がり情報の記録部に記録された前記盛り上がり検出部の検出結果に基づいて、前記映像コンテンツの再生部で再生される前記映像コンテンツの盛り上がりの場面から逆上った個所より、前記盛り上がりの場面までカウントダウンするように、該映像コンテンツに変化を与えて出力する映像コンテンツの処理部とを備えるようにすれば、映像コンテンツ取得部で取得した映像コンテンツは、盛り上がりの場面までカウントダウンするように変化が与えられてユーザーに提供される。これによりユーザーに、盛り上がりの場面が近づきつつあることを認識させることができ、映像コンテンツにおける盛り上がった場面を見逃すことが無いようにすることができる。
【００１３】
これにより請求項８、請求項９、請求項１０の構成によれば、映像コンテンツにおける盛り上がった場面を見逃すことが無いようにすることができるコンテンツ提供方法、コンテンツ提供方法のプログラム及びコンテンツ提供方法のプログラムを記録した記録媒体を提供することができる。
【発明の効果】
【００１４】
本発明によれば、映像コンテンツにおける盛り上がった場面を見逃すことが無いようにすることができる。
【発明を実施するための最良の形態】
【００１５】
以下、適宜図面を参照しながら本発明の実施例を詳述する。
【実施例１】
【００１６】
（１）実施例の構成
図２は、本発明の実施例１に係るハードディスクレコーダの構成を示すブロック図であり、図３は、その機能ブロック図である。このハードディスクレコーダ１は、テレビジョン放送により提供される映像コンテンツ等を記録してユーザーに提供する。
【００１７】
すなわちハードディスクレコーダ１において、放送受信部２は、中央処理ユニット（ＣＰＵ：Central Processing Unit ）３の制御によりテレビジョン放送による映像コンテンツを受信してビデオデータ及びオーディオデータを出力する。
【００１８】
すなわち放送受信部２において、チューナー４は、アンテナ５で受信される各種放送波によりユーザーの所望する放送波を選局して受信し、その受信結果による中間周波信号を出力する。復調器６は、チューナー４による中間周波信号を復調してトランスポートストリームを出力する。ＴＳデコーダ７は、復調器６から出力されるトランスポートストリームをＲＡＭ（Random Access Memory）８に一時格納して処理することにより、映像コンテンツによるビデオデータ及びオーディオデータをこのトランスポートストリームより選択してバスＢＵＳ、ＡＶデコーダ１０に出力する。これらにより放送受信部２は、ユーザーにより指示されたテレビジョン放送による映像コンテンツを受信し、記録用に、この映像コンテンツのビデオデータ及びオーディオデータをバスＢＵＳに出力し、またモニタ用、後述する盛り上がり検出用に、この映像コンテンツのビデオデータ及びオーディオデータをエンコード部９に出力する。
【００１９】
ここでエンコード部９は、中央処理ユニット３の制御によりバスＢＵＳから出力されるハードディスク装置１３で再生されたビデオデータ及びオーディオデータ、又は放送受信部２から出力されるビデオデータ及びオーディオデータをデータ伸長して、バスＢＵＳ、ミキシング部１４に出力する。
【００２０】
すなわちエンコード部９において、ＡＶデコーダ１０は、バスＢＵＳから出力されるビデオデータ及びオーディオデータ、放送受信部２から出力されるビデオデータ及びオーディオデータをＲＡＭ１２に一時格納してデータ伸長し、その処理結果によるビデオデータ及びオーディオデータを出力する。これによりエンコード部９は、ハードディスク装置（ＨＤＤ）１３に記録する映像コンテンツの盛り上がり検出用のオーディオデータを復号してバスＢＵＳに出力し、またハードディスク装置１３から再生した映像コンテンツ、放送受信部２で受信された映像コンテンツのモニタ用のビデオデータ及びオーディオデータを復号してミキシング部１４に出力する。
【００２１】
ミキシング部１４は、このエンコード部９から出力されるモニタ用のビデオデータ及びオーディオデータに、ユーザーに提供する各種の情報に係るビデオデータ及びオーディオデータをミキシングして出力する。
【００２２】
すなわちミキシング部１４において、ミクサ（ＭＵＸ）１５は、エンコード部９から出力されるオーディオデータに、バスＢＵＳから出力されるオーディオデータをミキシングして出力し、これにより再生結果、モニタ用の映像コンテンツによる音声に、各種警告音等を重畳して出力する。表示コントローラ１６は、中央処理ユニット３の制御により表示に供するメニュー等に係るＯＳＤ（On Screen Display ）用のビデオデータを生成して出力する。ミクサ（ＭＵＸ）１７は、エンコード部９から出力されるビデオデータに、表示コントローラ１６から出力されるビデオデータをミキシングして出力し、これにより再生結果、モニタ用の映像コンテンツによる映像に、各種アイコン等を重畳する。
【００２３】
このハードディスクレコーダ１は、このミキシング部１４から出力されるビデオデータ及びオーディオデータをモニタ装置１９に出力し、このモニタ装置１９に設けられたスピーカ２０、表示部２１によりこれらオーディオデータ及びビデオデータの音声及び映像をユーザーに提供する。
【００２４】
ハードディスクインターフェース（ハードディスクＩ／Ｆ）２２は、中央処理ユニット３の制御により、バスＢＵＳに出力されるビデオデータ、オーディオデータ、関連するデータをハードディスク装置１３に出力し、これによりこれらのデータをハードディスク装置１３に記録する。また同様の中央処理ユニット３の制御により、ハードディスク装置１３に記録したデータを再生してバスＢＵＳに出力する。これらによりこのハードディスクレコーダ１では、放送受信部２で受信した映像コンテンツ等によるビデオデータ及びオーディオデータをハードディスク装置１３に記録して保持し、またこの記録して保持した映像コンテンツを再生してデコード部９によりデコードした後、ミキシング部１４を介してモニタ装置１９に出力する。
【００２５】
これらによりこのハードディスクレコーダ１では（図３）、ハードディスクインターフェース２２により、放送受信部２で受信した映像コンテンツをハードディスク装置１３に記録する録画部２３の機能ブロックが構成され、またエンコード部９、ハードディスクインターフェース２２により、ハードディスク装置１３に記録した映像コンテンツを再生する再生部２４の機能ブロックが構成される。またハードディスク装置１３により映像コンテンツを記録して保持するコンテンツ蓄積部２５の機能ブロックが構成される。
【００２６】
カードインターフェース（カードＩ／Ｆ）２６は、カードスロット２７に装着されるメモリカード２８と、バスＢＵＳとの間のインターフェースであり、バスＢＵＳに出力される各種のデータを中央処理ユニット３の制御によりメモリカード２８に記録し、またメモリカード２８に記録した各種のデータをバスＢＵＳに出力する。
【００２７】
インターフェース（Ｉ／Ｆ）２９は、例えばＩＥＥＥ（Institute of Electrical and Electronics Engineers ）１３９４のインターフェースであり、このハードディスクレコーダ１に接続されたビデオカメラ３０からのビデオデータ及びオーディオデータをバスＢＵＳに出力する。これによりこのハードディスクレコーダ１では、テレビジョン放送による映像コンテンツに加えて、ユーザーが自分で撮影した映像コンテンツについても、直接に又はハードディスク装置１３を介して、モニタ装置１９によりモニタできるように構成され、さらにはテレビジョン放送による映像コンテンツと同様に処理できるように構成される。
【００２８】
ＳＩＯ（Serial I/O）コントローラ３２は、中央処理ユニット３の制御によりモデム３３の動作を制御してインターネット３４に接続し、このインターネット３４上に設けられたＷＥＢサーバ３５から電子番組表（ＥＰＧ：Electronic Program Guide）の情報、各種映像コンテンツを取得してバスＢＵＳに出力する。これによりこのハードディスクレコーダ１では、インターネット３４により取得した映像コンテンツについても記録して保持し、モニタ装置１９によりユーザーに提供するように構成される。
【００２９】
Ｕ／Ｉ制御部３６は、リモートコマンダからの遠隔制御信号を受信して中央処理ユニット３に通知する。
【００３０】
中央処理ユニット３は、このハードディスクレコーダ１の動作を制御するコントローラであり、ＲＡＭ３７にワークエリアを確保してＲＯＭ（Read Only Memory）３８に記録されたプログラムを実行することにより、各部の動作を制御する。なおこれによりこの実施例において、この中央処理ユニット３の処理に係るプログラムは、このハードディスクレコーダ１に事前にインストールされて提供されるものの、このような事前のインストールによる提供に代えて、光ディスク、磁気ディスク、メモリカード等の各種記録媒体に記録して提供するようにしてもよく、またインターネット等のネットワークを介したダウンロードにより提供するようにしてもよい。
【００３１】
中央処理ユニット３は、このプログラムの実行により、ユーザーにより映像コンテンツの取得が指示されると、ユーザーにより指示されたテレビジョン放送を受信して映像コンテンツを取得し、さらにはビデオカメラ３０、インターネット３４より映像コンテンツを取得し、この取得した映像コンテンツをハードディスク装置１３に記録する。またユーザーによりタイマー録画の設定を受け付け、このタイマー録画により、テレビジョン放送による映像コンテンツを記録する。
【００３２】
この一連の記録の処理において、中央処理ユニット３は、ＴＳデコーダ７、インターフェース２９、ＳＩＯコントローラ３２から得られるビデオデータ及びオーディオデータをバスＢＵＳに入力してハードディスク装置１３に記録する。またこのときバスＢＵＳからＡＶデコーダ１０にオーディオデータを出力してデータ伸長し、その処理結果によりオーディオデータを盛り上がり検出用に順次取得する。
【００３３】
中央処理ユニット３は、この盛り上がり検出用のオーディオデータの処理により、ハードディスク装置１３に記録する映像コンテンツの盛り上がりの場面を検出し、この盛り上がりの場面の位置情報をハードディスク装置１３に記録する。またこの記録した盛り上がりの場面の位置情報による表示コントローラ１６の制御により、ハードディスク装置１３から再生して出力する映像コンテンツについて、盛り上がりの場面から逆上った個所より盛り上がりの場面までのカウントダウンの映像によるビデオデータを生成し、このビデオデータによる映像を映像コンテンツの映像に重畳して出力する。また同様に、盛り上がりの場面から逆上った個所より盛り上がりの場面までのカウントダウンの音声によるオーディオデータを生成し、このオーディオデータによる音声を映像コンテンツの音声に重畳して出力する。
【００３４】
これにより中央処理ユニット３は（図３）、ＡＶデコーダ１０と共に、ハードディスク装置１３に記録する映像コンテンツの盛り上がり場面を検出する盛り上がり検出部４０を構成し、ハードディスク装置１３は、盛り上がり検出部４０による検出結果である盛り上がりの場面の位置情報を記録して保持する盛り上がり位置情報保持部４１を構成する。また中央処理ユニット３は、表示コントローラ１６と共に、盛り上がり検出部４０の検出結果に基づいて、映像コンテンツの盛り上がりの場面から逆上った個所より盛り上がりの場面までのカウントダウンの映像及び又は音声を生成するカウントダウン処理部４２を構成する。また中央処理ユニット３は、同様のカウントダウンの音声を生成するカウントダウン処理部４２を構成する。
【００３５】
またこれにより中央処理ユニット３、表示コントローラ１６、ミキシング部１４は、ハードディスク装置１３から再生して出力する映像コンテンツについて、盛り上がりの場面から一定時間だけ逆上った個所より盛り上がりの場面までカウントダウンするように、この映像コンテンツに変化を与えて出力する映像コンテンツ処理部を構成する。
【００３６】
ここで例えばサッカー中継の番組において、盛り上がった場面では、観客が歓声を上げ、この場合には、オーディオ信号の信号レベルが大きくなる。また周波数スペクトラムの分布も変化し、盛り上がった場面では、オーディオ信号のスペクトラムがそれまでより広い範囲に分布するようになる。またこのような信号レベルの変化、周波数スペクトラムの変化は、サッカー中継の番組以外の種々の番組でも同様のことが言える。
【００３７】
これにより中央処理ユニット３は、ハードディスク装置１３に記録する映像コンテンツについて、ＡＶデコーダ１０によりデコードして得られるオーディオデータの信号レベル、周波数スペクトラムにより、盛り上がりの程度を示す盛り上がり度を検出し、この盛り上がり度の判定により盛り上がりの場面を検出する。
【００３８】
すなわち中央処理ユニット３は、映像コンテンツのオーディオデータを一定の時間間隔により区切り、各区切り毎に、オーディオデータの信号レベルの平均値を検出し、この平均値が増大するに従って値が大きくなる信号レベルによる盛り上がり度を検出する。また各区切り毎に、例えば高速フーリエ変換処理によりオーディオデータを周波数解析し、一定レベル以上の周波数スペクトラムが分布する範囲に応じて値が大きくなる周波数スペクトラムによる盛り上がり度を検出する。なおこの区切りにあっては、ビデオデータにおけるフレーム周期、フィールド周期、水平走査期間等に設定することができる。
【００３９】
中央処理ユニット３は、この信号レベルによる盛り上がり度と周波数スペクトラムによる盛り上がり度とを重み付け加算し、これにより盛り上がり度を検出する。なお実用上充分に盛り上がり度を検出することができる場合には、信号レベルによる盛り上がり度、周波数スペクトラムによる盛り上がり度の何れかだけを適用するようにしても良く、またさにはこれらに加えて、又はこれらに代えて、映像及び音声の特徴を表す種々のパラメータを適用することができる。
【００４０】
中央処理ユニット３は、このようにして検出した盛り上がり度を一定のしきい値により判定し、これにより盛り上がりの場面を検出する。中央処理ユニット３は、この一定のしきい値より盛り上がり度が立ち上がっている期間の開始の時点について、対応する映像コンテンツにおける位置情報を盛り上がり情報としてハードディスク装置１３に記録する。なおここでこの位置情報には、例えば映像コンテンツのタイムコードが適用される。これによりこの実施例においては、ハードディスク装置１３に記録された映像コンテンツ毎に、盛り上がった場面の開始位置を示す盛り上がり情報がリストの形式により記録される。以下、このリストを盛り上がり情報リストと呼ぶ。
【００４１】
中央処理ユニット３は、ユーザーによるリモートコマンダ等の操作により、このようにしてハードディスク装置１３に記録した映像コンテンツを再生してユーザーに提供する。すなわちこの場合、中央処理ユニット３は、再生対象の映像コンテンツの選択を受け付け、ユーザーにより選択された映像コンテンツのビデオデータ及びオーディオデータをハードディスク装置１３から順次再生してデコード部９に出力する。またこのデコード部９によりデータ伸長されたビデオデータ及びオーディオデータをミキシング部１４を介してモニタ装置１９に出力する。
【００４２】
この処理において、ハードディスク装置１３に記録した対応する盛り上がり情報リストに基づいて、カウントダウンをユーザーに提供する。ここで図１は、この再生時に係る中央処理ユニット３の処理手順を示すフローチャートである。中央処理ユニット３は、ユーザーにより映像コンテンツの再生開始が指示されると、ステップＳＰ１からステップＳＰ２に移る。
【００４３】
ここで中央処理ユニット３は、ハードディスク装置１３から対応する盛り上がり情報リストを再生して取得する。また続くステップＳＰ３において、ユーザーにより指示された映像コンテンツの再生を開始し、ステップＳＰ４に移る。ここで中央処理ユニット３は、現在再生中の映像コンテンツのタイムコードと、ステップＳＰ２で取得した盛り上がり情報との比較により、現在の再生個所が、盛り上がりシーンの開始位置より一定時間前か否か判断する。
【００４４】
ここで中央処理ユニット３は、事前に、複数の候補より、このステップＳＰ４に係る一定時間の選択を受け付け、この実施例では、この複数の候補が例えば３秒前、５秒前、１０秒前、１５秒前に設定される。これにより中央処理ユニット３は、現在の再生個所が盛り上がりの場面のはるか手前である場合には、ステップＳＰ４で否定結果が得られ、ステップＳＰ４からステップＳＰ５に移る。
【００４５】
このステップＳＰ５において、中央処理ユニット３は、ユーザーによる指示により、又は映像コンテンツの末尾までの再生により、再生の終了か否か判断し、ここで肯定結果が得られると、ステップＳＰ５からステップＳＰ６に移ってこの処理手順を終了するのに対し、ステップＳＰ５で否定結果が得られると、ステップＳＰ４に戻る。
【００４６】
これにより中央処理ユニット３は、記録時に検出した盛り上がりの場面の手前、一定時間の位置を再生するまでの間、ステップＳＰ４−ＳＰ５−ＳＰ４の処理を繰り返し、盛り上がりの場面の手前、一定時間の位置まで映像コンテンツを再生すると、ステップＳＰ４で肯定結果が得られることにより、ステップＳＰ４からステップＳＰ７に移る。
【００４７】
ここで中央処理ユニット３は、カウントダウンの処理を開始する。ここでカウントダウンの処理は、図４に示すよう、盛り上がりの場面までカウントダウンするように、映像コンテンツに変化を与える処理であり、この実施例では、盛り上がりの場面までのカウントダウンの映像及び音声を生成し、この映像及び音声をハードディスク装置１３で再生される映像コンテンツの映像及び音声に重畳して実行する。
【００４８】
ここで図４に示す例では、人の顔の形をしたアイコンの個数、「！」のマークの個数により、盛り上がりの場面の開始時点ｔ０までの秒数を表すようにして、盛り上がりの場面の開始時点ｔ０に近づくに従ってこれらアイコン、「！」のマークの個数を減少させることにより、このカウントダウンの映像を形成する。またチャイムを鳴らすようにして、盛り上がりの場面の開始時点ｔ０に近づくに従ってこのチャイムの回数、音量、種類の全部又は一部を変化させるようにして、カウントダウンの音声を生成する。なおカウントダウンの映像は、このような個数により秒数を表す代わりに、図５に示すように、数字により秒数を表し、この数字による秒数とこの数字の外側のリング形状によるバー表示とにより、盛り上がりまでの時間を示すようにしてもよい。
【００４９】
なお中央処理ユニット３は、カウントダウンの映像については、表示コントローラ１６の制御により対応するビデオデータを生成してミクサ１７により映像コンテンツのビデオデータに重畳する。これに対してカウントダウンの音声については、音声合成により、又はメモリに保持した音声データにより、対応するオーディオデータを生成し、ミクサ１５により映像コンテンツのオーディオデータに重畳する。
【００５０】
このようにしてカウントダウンに係る処理を開始すると、中央処理ユニット３は、ステップＳＰ８に移り、再生位置が盛り上がりの開始位置となったか否か判断する。ここで否定結果が得られると、中央処理ユニット３は、ステップＳＰ８の処理手順を繰り返す。これに対してステップＳＰ８で肯定結果が得られると、中央処理ユニット３は、ステップＳＰ８からステップＳＰ９に移り、カウントダウンの処理を終了した後、ステップＳＰ４に戻る。
【００５１】
（２）実施例の動作
以上の構成において、このハードディスクレコーダ１では（図２及び図３）、テレビジョン放送による映像コンテンツが放送受信部２で取得され、この映像コンテンツがハードディスク装置１３に記録される。またインターネット３４より同様の映像コンテンツが取得されてハードディスク装置１３に記録される。またさらにビデオカメラ３０による映像コンテンツが同様にハードディスク装置１３に記録される。このハードディスクレコーダ１では、このようにして取得されてハードディスク装置１３に記録された映像コンテンツは、ユーザーによる指示によりハードディスク装置１３から再生された後、デコード部９によりビデオデータ及びオーディオデータがデータ伸長され、モニタ装置１９によりユーザーに提供される。これによりこのハードディスクレコーダ１では、ユーザーの所望する映像コンテンツを記録して視聴することができる。しかしながらユーザーにあっては、映像コンテンツの視聴中に、一時的に席を外し、これによりサッカー中継番組のゴールシーンのような盛り上がった場面を見逃してしまう場合もある。
【００５２】
これによりこのハードディスクレコーダ１では、映像コンテンツの記録時、この映像コンテンツのオーディオデータがＡＶデコーダ１０によりデータ伸長され、このデータ伸長されたオーディオデータが中央処理ユニット３により解析され、オーディオデータより盛り上がりの場面が検出される。またこの盛り上がりの場面の開始の時点が、各映像コンテンツ毎の盛り上がり情報リストによりハードディスク装置１３に記録される。
【００５３】
またこのようにしてハードディスク装置１３に記録した盛り上がり情報リストにより、映像コンテンツの再生を開始して、盛り上がりの場面の開始の時点の手前、一定時間となると、この盛り上がりの場面までカウントダウンするように、ハードディスク装置１３で再生されてユーザーに提供される映像コンテンツに変化が与えられる（図１及び図４）。
【００５４】
これによりユーザーは、例えば席を外そうとした場合に、このカウントダウンの処理による映像コンテンツの変化により、盛り上がりの場面がすぐそこ迄迫っていることを確認することができ、例えば席を外さないようにしたり、映像コンテンツの再生を一時停止したりして、盛り上がりの場面を見逃さないようにすることができる。
【００５５】
またこのようにカウントダウンすれば、ユーザーの期待感を煽って、盛り上がりの場面をさらに一段と盛り上げることができ、これにより一段とユーザーに楽しみを与えることができる。
【００５６】
この実施例では、このカウントダウンに係る処理が、表示コントローラ１６、中央処理ユニット３によりカウントダウンの映像、音声を生成し、このカウントダウンの映像、音声を映像コンテンツによる映像、音声に重畳して実行され、これによりユーザーにあっては、視覚、聴覚の双方により盛り上がりの場面がすぐそこ迄迫っていることを確認し、さらには期待感を高揚させることができる。
【００５７】
（３）実施例の効果
以上の構成によれば、記録時、盛り上がりの場面の開始を検出し、この検出結果により盛り上がりの場面までのカウントダウンを提供することにより、映像コンテンツにおける盛り上がった場面を見逃すことが無いようにすることができる。
【００５８】
また盛り上がりの場面までのカウントダウンの映像及び又は音声を生成し、このカウントダウンの映像及び又は音声を映像コンテンツの映像及び又は音声に重畳して出力することにより、視覚及び又は聴覚により盛り上がりの場面がすぐそこ迄迫っていることを確認して期待感を高揚させ、盛り上がった場面を見逃すことが無いようにすることができる。
【００５９】
より具体的に、このカウントダウンの映像が、盛り上がりの場面までの所要時間の映像であることにより、またカウントダウンの音声が、盛り上がりの場面までの所要時間を通知する音声であることにより、視覚及び又は聴覚により盛り上がりの場面がすぐそこ迄迫っていることを確認して期待感を高揚させ、盛り上がった場面を見逃すことが無いようにすることができる。
【実施例２】
【００６０】
図６は、図３との対比により本発明の実施例２に係るハードディスクレコーダを示すブロック図である。このハードディスクレコーダ５１は、実施例１について上述した構成に加えて、ハードディスク装置１３によりクローズドキャプション蓄積部６３が構成される。この実施例に係るハードディスクレコーダ５１は、このクローズドキャプション蓄積部６３に関連する構成が異なる点を除いて、実施例１について上述したハードディスクレコーダ１と同一に構成される。
【００６１】
ここでこのハードディスクレコーダ５１において、放送受信部２は、ＴＳデコーダ７によりクローズドキャプションに係るデータを取得して中央処理ユニット３に通知し、中央処理ユニット３は、このクローズドキャプションに係るデータをハードディスク装置１３に記録し、これによりハードディスク装置１３にクローズドキャプション蓄積部６３を構成する。これよりこの実施例のハードディスクレコーダ５１は、テレビジョン放送による映像コンテンツについては、ユーザーによる指示によりクローズドキャプションによる文字情報を表示できるように構成される。
【００６２】
すなわち中央処理ユニット３は、ユーザーにより文字表示が指示されると、ＴＳデコーダ７により取得されるクローズドキャプションに係るデータにより表示コントローラ１６、ミクサ１７を制御し、これによりモニタ用のビデオデータの映像に、クローズドキャプションによる文字情報を重畳して表示する。また同様のユーザーによる指示により、クローズドキャプション蓄積部６３に蓄積したクローズドキャプションに係るデータにより表示コントローラ１６、ミクサ１７を制御し、これによりハードディスク装置１３より再生される映像コンテンツの映像に、クローズドキャプションによる文字情報を重畳して表示する。またこの映像コンテンツの再生において、ユーザーによるカウントダウンの表示が指示されると、実施例１について上述したと同様にしてカウントダウンに係る映像、音声を重畳してユーザーに提供する。
【００６３】
これに対してユーザーがクローズドキャプションに係る文字情報の表示を指示していない状態で、クローズドキャプションによるカウントダウンの表示がユーザーにより指示されると、実施例１について上述したアイコン、マークによるカウントダウンの映像に代えて、図７に示すように、クローズドキャプションによる文字情報の表示によりカウントダウンの映像を作成し、この映像を映像コンテンツの映像に重畳してユーザーに提供する。
【００６４】
すなわちこの場合中央処理ユニット３は、再生個所が、盛り上がりの場面の開始の時点ｔ０から一定時間の手前となると、クローズドキャプションによる文字情報の表示を開始し、この文字情報の表示を盛り上がりの場面の開始の時点ｔ０まで継続する。なおこの場合に、開始の時点ｔ０までの時間が短くなるに従って、この文字情報の表示による文字列の左端側から右端側に境界を徐々に移動させるようにして、この境界の左右で文字の表示色を切り換えるようにし、これによりこの境界により盛り上がりの開始までの時間を表すようにしてもよい。またこの文字情報の表示をブランキングさせるようにして、開始の時点ｔ０までの時間が短くなるに従って、このブランキングの周期を短くするようにし、これにより盛り上がりの開始までの時間を表すようにしてもよい。なおこの境界による表示色の切り換え、ブランキングによる表示にあっては、常時、クローズドキャプションによる文字情報を表示する場合にも、適用することができる。
【００６５】
また音声認識の手法を適用して、クローズドキャプションによるデータに相当する音声の文字表示用のデータを取得するようにして、インターネットから取得した映像コンテンツ、ビデオカメラから取得した映像コンテンツ等に、この文字情報の表示によるカウントダウンの映像を適用するようにしてもよい。
【００６６】
この実施例によれば、カウントダウンの映像が、盛り上がりの場面までの間の音声の文字表示の映像であるようにしても、実施例１と同様の効果を得ることができる。
【実施例３】
【００６７】
図８は、図４との対比により本発明の実施例３に係るハードディスクレコーダにおけるカウントダウンの映像を示す平面図である。このハードディスクレコーダは、壁紙を表示して、ハードディスク装置１３に記録した映像コンテンツの映像を、この壁紙のピクチャーインピクチャーにより表示する。また実施例１について上述したと同様にして、盛り上がりの開始時点ｔ０を監視し、この開始時点ｔ０の手前、一定時間となると、徐々に子画面による映像コンテンツの表示領域を拡大し、盛り上がりの開始時点ｔ０で全画面により表示する。またこの実施例では、盛り上がりの終了時点についても、盛り上がり情報としてハードディスク装置１３に記録し、これにより盛り上がりの場面が終了すると、全画面により表示していた映像コンテンツの映像を徐々に元の子画面表示に戻す。
【００６８】
この実施例によれば、盛り上がりの時点から逆上った個所より盛り上がりの場面までの間で、映像コンテンツの映像の表示を徐々に拡大させることによっても、実施例１と同様の効果を得ることができる。
【実施例４】
【００６９】
なお上述の実施例においては、アイコン、マークの表示、音声の出力等によりカウントダウンの映像及び音声を提供する場合について述べたが、本発明はこれに限らず、例えば上述の実施例に係る通知の組み合わせ等、必要に応じて種々の映像、音声を広く適用することができる。なお他のカウントダウンの映像及び音声としては、テロップの形式により盛り上がりまでの時間を表示する場合、さらには残り時間を読み上げる音声等を適用することが考えられる。
【００７０】
また上述の実施例においては、記録時に盛り上がり度を検出する場合について述べたが、本発明はこれに限らず、例えば映像コンテンツを記録した後のバックグラウンドの処理により盛り上がり度を検出する場合等、映像コンテンツを記録した後に実行するようにしてもよい。
【００７１】
また上述の実施例においては、ディジタル放送によるテレビジョン放送の映像コンテンツを記録再生する場合について述べたが、本発明はこれに限らず、アナログ放送による映像コンテンツを記録再生する場合にも広く適用することができる。
【００７２】
また上述の実施例においては、本発明をハードディスクレコーダに適用する場合について述べたが、本発明はこれに限らず、光ディスク、磁気テープ、メモリカード等を使用した種々の映像コンテンツの記録再生装置に広く適用することができる。
【産業上の利用可能性】
【００７３】
本発明は、例えばハードディスク装置を用いてテレビジョン放送を記録再生するハードディスクレコーダに適用することができる。
【図面の簡単な説明】
【００７４】
【図１】本発明の実施例１に係るハードディスクレコーダに適用される中央処理ユニットの処理手順を示すフローチャートである。
【図２】本発明の実施例１に係るハードディスクレコーダを示すブロック図である。
【図３】図２のハードディスクレコーダの機能ブロック図である。
【図４】図１の処理手順による表示の説明に供する平面図である。
【図５】他の表示例を示す平面図である。
【図６】本発明の実施例２に係るハードディスクレコーダの機能ブロック図である。
【図７】図６のハードディスクレコーダの表示の説明に供する平面図である。
【図８】本発明の実施例３に係るハードディスクレコーダの表示の説明に供する平面図である。
【符号の説明】
【００７５】
１、１５……ハードディスクレコーダ、２……放送受信部、１３……ハードディスク装置、１４……ミキシング部、１９……モニタ装置、２３……録画部、２５……コンテンツ蓄積部、２４……再生部、４０……盛り上がり検出部、４１……盛り上がり位置情報蓄積部、４２、６２……カウントダウン処理部、６３……クローズドキャプション蓄積部
【図１】
2007116566.tif 000003
【図２】
2007116566.tif 000004
【図３】
2007116566.tif 000005
【図４】
2007116566.tif 000006
【図５】
2007116566.tif 000007
【図６】
2007116566.tif 000008
【図７】
2007116566.tif 000009
【図８】
2007116566.tif 000010